(57)【特許請求の範囲】
【請求項１】
放送帯域を複数階層に分割し、ＯＦＤＭ（orthogonal frequency division multiplex）方式により各階層に割り当てられるＴＳ（transport stream）パケットと、各階層の符号化率、変調方法、インターリーブ長を規定した伝送パラメータを示すＴＭＣＣ（Transmission Mode Configuration Control）信号と、その他の付加情報を示すＡＣ（Auxiliary Channel）信号とを放送する地上デジタルテレビジョン放送システムに用いられ、前記ＴＳパケット、ＴＭＣＣ信号、ＡＣ信号からなる放送情報を放送波送信所までマイクロ波により中継伝送する中継伝送方式であって、
中継伝送前に、前記複数階層に割り当てられるＴＳパケットを単一階層にまとめ、ある特定の伝送パラメータで中継ＯＦＤＭ信号を生成し、マイクロ波に変換して中継伝送し、放送波送信所にて中継用ＯＦＤＭ信号を受信復調して放送波ＯＦＤＭ信号に再構成することを特徴とする地上デジタルテレビジョン放送マイクロ波中継伝送方式。
【請求項２】
前記ＴＳパケットを単一階層にまとめる際に、予め決められた順番にＴＳパケットを並び替えることを特徴とする請求項１記載の地上デジタルテレビジョン放送マイクロ波中継伝送方式。
【請求項３】
前記ＴＳパケットを単一階層にまとめる際に、任意の順序でＴＳパケットを並べ、その順序を示す情報を前記放送波送信所に伝送することを特徴とする請求項１記載の地上デジタルテレビジョン放送マイクロ波中継伝送方式。
【請求項４】
前記中継を多段する場合には、中継所において、中継ＯＦＤＭ信号を受信復調し、誤り訂正を施して、再度中継ＯＦＤＭ信号を再構成することを特徴とする請求項１記載の地上デジタルテレビジョン放送マイクロ波中継伝送方式。
【請求項５】
前記伝送パラメータは、前記マイクロ波による中継区間において、放送波での総伝送可能情報量より多く、または同等の情報量を伝送可能とするパラメータに選定することを特徴とする請求項１記載の地上デジタルテレビジョン放送マイクロ波中継伝送方式。
【請求項６】
前記中継ＯＦＤＭ信号の伝送可能容量が放送波での総伝送情報量より多い場合には、ダミーパケットを挿入するようにしたことを特徴とする請求項３記載の地上デジタルテレビジョン放送マイクロ波中継伝送方式。
【発明の詳細な説明】
【０００１】
【発明の属する技術分野】
本発明は、地上デジタルテレビジョン放送におけるマイクロ波中継放送ネットワークを構築する際の、マイクロ波中継区間に用いる伝送方式に関する。
【０００２】
【従来の技術】
近時、地上波におけるデジタルテレビジョン放送（以下、地上デジタルＴＶ放送と記す）の標準方式（ＩＳＤＢ−Ｔ）が決定され、実用化に向けて種々の開発が進められている。ここで、例えば演奏所（スタジオ）及び送信所をマイクロ波により結ぶマイクロ波中継放送ネットワークの構築が一つの課題となっている。
【０００３】
現在、地上デジタルＴＶ放送におけるマイクロ波中継放送ネットワークにおいて、マイクロ波中継区間の伝送方式として、ＩＦ伝送方式とＴＳ伝送方式が考えられている。
【０００４】
ＩＦ伝送方式によるネットワークシステムの構成を図６に示す。この伝送方式では、演奏所側において、再多重装置１１により複数パケットを多重したトランスポートストリーム（ＴＳ）を生成し、ＩＳＤＢ−Ｔの規定に沿ってＯＦＤＭ変調装置１２により６ＭＨｚ幅のＯＦＤＭ信号に変換した後、送信装置１３でマイクロ波帯に周波数変換し電力増幅して、アンテナ１４によりマイクロ波で送信する。一方、送信所側において、アンテナ２１及び受信装置２２によりスタジオからの送信波を受信し、送信装置２３により放送する周波数に変換し電力増幅して、アンテナ２４により放送サービスエリアに向けて送信する。この方式は、演奏所すなわちスタジオ側でＯＦＤＭ変調することからスタジオ変調方式とも呼ばれている。
【０００５】
ＴＳ伝送方式によるネットワークシステムの構成を図７に示す。この伝送方式では、演奏所側において、再多重装置３１により複数番組を多重したトランスポートストリームを生成し、デジタル変調器３２により６４ＱＡＭ等のデジタル変調を施した後、送信装置３３でマイクロ波帯に周波数変換し電力増幅して、アンテナ３４によりマイクロ波で送信する。一方、送信所側において、アンテナ４１及び受信装置４２により演奏所からの送信波を受信しベースバンドの帯域に変換して、デジタル復調器４３で元のトランスポートストリームに戻す。そして、ＩＳＤＢ−Ｔの規定に沿ってＯＦＤＭ変調装置４４により６ＭＨｚ幅のＯＦＤＭ信号に変換した後、送信装置４５で放送する周波数に変換し電力増幅して、アンテナ４６により放送サービスエリアに向けて送信する。この方式は、トランスポートストリームの状態で中継伝送し、送信所側でＯＦＤＭ変調することから送信所変調方式とも呼ばれている。
【０００６】
しかしながら、いずれの伝送方式も一長一短がある。すなわち、ＩＦ伝送方式では、伝送帯域として放送波の帯域幅と同じ６ＭＨｚで伝送可能であるが、マイクロ波伝送区間での信号の劣化がそのまま放送波の信号の劣化につながり、多段中継時にはその問題がさらに積算されてしまう。これに対し、ＴＳ伝送方式では、ＴＳをデジタル変調して中継伝送し、送信所側でデジタル復調して誤り訂正等を施すため、マイクロ波伝送区間での伝送劣化を解消することができる。しかしながら、放送波を生成するために必要な情報量が多くなり、多値化した変調が必要となる。このため、ＩＦ伝送方式と同じ６ＭＨｚで伝送するには、１２８ＱＡＭといった多値化が必要であり、技術的な課題が多い。また、ここで放送波と同じ地上デジタルＴＶ放送方式で伝送すると、伝送帯域６ＭＨｚで伝送可能であるが、方式的に１中継区間で最低２フレーム以上の遅延が生じることになり、中継段数に比例して遅延量が増大してしまう。
【０００７】
【発明が解決しようとする課題】
以上述べたように、地上デジタルＴＶ放送におけるマイクロ波中継放送ネットワークの構築に際し、マイクロ波中継区間の伝送方式としては、中継区間における劣化が放送波の信号へ影響しないようにすること、中継区間の伝送帯域を規定幅に収めること、遅延量を許容範囲内に抑えることを同時に満足させる有効な手法が未だ見出されていない。
【０００８】
本発明は、上記の問題点を解決し、中継区間の劣化が放送波の信号に影響せず、伝送帯域を規定幅に収め、かつ遅延量を許容範囲に抑えて中継区間の伝送を可能とする地上デジタルテレビジョン放送マイクロ波中継伝送方式を提供することを目的とする。
【０００９】
【課題を解決するための手段】
上記の目的を達成するために本発明に係る地上デジタルテレビジョン放送マイクロ波中継伝送方式は、以下のような特徴的構成を有する。
【００１０】
（１）放送帯域を複数階層に分割し、ＯＦＤＭ（orthogonal frequency division multiplex）方式により各階層に割り当てられるＴＳ（transport stream）パケットと、各階層の符号化率、変調方法、インターリーブ長を規定した伝送パラメータを示すＴＭＣＣ（Transmission Mode Configuration Control）信号と、その他の付加情報を示すＡＣ（Auxiliary Channel）信号とを放送する地上デジタルテレビジョン放送システムに用いられ、前記ＴＳパケット、ＴＭＣＣ信号、ＡＣ信号からなる放送情報を放送波送信所までマイクロ波により中継伝送する中継伝送方式であって、中継伝送前に、前記複数階層に割り当てられるＴＳパケットを単一階層にまとめ、ある特定の伝送パラメータで中継ＯＦＤＭ信号を生成し、マイクロ波に変換して中継伝送し、放送波送信所にて中継用ＯＦＤＭ信号を受信復調して放送波ＯＦＤＭ信号に再構成することを特徴とする。
【００１１】
（２）（１）の構成において、前記ＴＳパケットを単一階層にまとめる際に、予め決められた順番にパケットを並び替えることを特徴とする。
【００１２】
（３）（１）の構成において、前記ＴＳパケットを単一階層にまとめる際に、任意の順序でパケットを並べ、その順序を示す情報を前記放送波送信所に伝送することを特徴とする。
【００１３】
（４）（１）の構成において、前記中継を多段する場合には、中継所において、中継ＯＦＤＭ信号を受信復調し、誤り訂正を施して、再度中継ＯＦＤＭ信号を再構成することを特徴とする。
【００１４】
（５）（１）の構成において、前記伝送パラメータは、前記マイクロ波による中継区間において、放送波での総伝送可能情報量より多く、または同等の情報量を伝送可能とするパラメータに選定することを特徴とする。
【００１５】
（６）（５）の構成において、前記中継ＯＦＤＭ信号の伝送可能容量が放送波での総伝送情報量より多い場合には、ダミーパケットを挿入するようにしたことを特徴とする。
【００１６】
上記構成において、具体的には以下のような手法が考えられる。
【００１７】
前記中継ＯＦＤＭ信号を生成する際には、時間インターリーブ長を０とする。
【００１８】
前記複数階層に割り当てられるＴＳパケットを単一階層にまとめる際には、フレーム内のＴＳパケットを階層順の並びに並べ替えておく。
【００１９】
前記中継ＯＦＤＭ信号の復調信号から中継ＯＦＤＭ信号または放送波ＯＦＤＭ信号を再構成する際に、前記既知の伝送パラメータから受信復調時に発生したヌルパケットを判別し、当該ヌルパケットを復調パケット列から除去する。
【００２０】
前記放送波の伝送パラメータの中継伝送に中継ＯＦＤＭ信号中のＡＣ信号を利用する。
【００２１】
【発明の実施の形態】
以下、図１乃至図３を参照して本発明の実施の形態を詳細に説明する。
【００２２】
図１は本発明に係る伝送方式を採用した、地上デジタル放送のマイクロ波中継ネットワークシステムの構成を示すブロック図である。図１では、中継段数を２とし、マイクロ波の伝送パラメータとして、変調方式に６４ＱＡＭ、畳み込み符号化率７／８、時間インターリーブ長０を採用した場合を示している。尚、マイクロ波の伝送パラメータとしては、図１に示す実施形態に限らず、放送波の伝送パラメータで決まる伝送可能情報量より多く、或いは同じ量の情報が送ることが可能なパラメータであればよい。
【００２３】
図１において、演奏所Ａは、再多重装置Ａ１、ＯＦＤＭ変調装置Ａ２、マイクロ波送信装置Ａ３、マイクロ波送信アンテナＡ４を備える。
【００２４】
まず、再多重装置Ａ１は、ＭＰＥＧ２システムズに規定されるＴＳパケット（番組情報）を入力し、放送波の伝送パラメータで決定する多重フレームパターンに従って、各パケットが属する階層を定めると共に、その伝送パラメータ（パケット階層情報、各階層の放送用符号化率、各階層の放送用変調方法、放送用インターリーブ長）を示すＴＭＣＣ（Transmission Mode Configuration Control）信号を生成するものである。但し、ＴＭＣＣ信号は必ずしも再多重装置から出力される必要はない。
【００２５】
再多重装置Ａ１から出力されるパケットと階層情報は、ＯＦＤＭ変調装置Ａ２に入力される。このＯＦＤＭ変調装置Ａ２は、図２に示すように構成され、再多重装置Ａ１から出力されるパケットと階層情報は、単一階層化部Ａ２０１に入力される。この単一階層化部Ａ２０１は、階層情報を基に、図３に示すように各階層（図３ではＡ、Ｂ、Ｃの３階層）のパケットごとにまとめるパケットの並び替えを行う。また、マイクロ波中継区間の伝送可能情報量が放送波での伝送可能容量より大きい場合には、並び替えたパケットの後にダミーパケットのような４７Ｈ同期バイトを含んだパケットを追加する。
【００２６】
これらの処理により単一階層化されたパケット群は、以後、地上デジタルＴＶ放送方式で規定されている処理が施される。但し、地上デジタルＴＶ放送方式で定める各階層間の遅延補正は実施しない。
【００２７】
すなわち、上記パケット群は外符号部Ａ２０２で符号化され、エネルギー拡散部Ａ２０３でエネルギー拡散され、バイトインターリーブ処理部Ａ２０４でバイトインターリーブが施され、畳み込み符号化部Ａ２０５で符号化率７／８に圧縮され、ビットインターリーブ処理部Ａ２０６でビットインターリーブが施され、マッピング処理部Ａ２０７で６４ＱＡＭにマッピングされ、時間インターリーブ処理部Ａ２０８でＩ＝０として処理され（時間インターリーブを施さない）、周波数インターリーブ処理部Ａ２０９で周波数インターリーブが施された後、ＯＦＤＭフレーム構成部Ａ２１０へ送られる。
【００２８】
一方、ＯＦＤＭ変調装置Ａ２において、再多重装置Ａ１からのＴＭＣＣ信号はＴＭＣＣ／ＡＣ変換部Ａ２１１によりＡＣ（Auxiliary Channel）信号に変換され、ＡＣ変調部Ａ２１２で変調されてＯＦＤＭフレーム構成部Ａ２１０に送られる。
【００２９】
このＯＦＤＭフレーム構成部Ａ２１０は、周波数インターリーブ処理部Ａ２０９からのデータ列、パイロット信号発生部Ａ２１３からのパイロット信号、ＴＭＣＣ信号発生部Ａ２１４からの中継伝送用ＴＭＣＣ信号、ＡＣ変調部Ａ２１２からのＡＣ変調信号を入力し多重することでＯＦＤＭフレームを構成するもので、その出力はＯＦＤＭ変調部Ａ２１５でＦＦＴ処理、直交変調処理が施されてＯＦＤＭ信号としてマイクロ波送信装置Ａ３に送られる。
【００３０】
このマイクロ波送信装置Ａ３は入力したＯＦＤＭ信号を中継伝送用マイクロ波帯に周波数変換し電力増幅して、送信アンテナＡ４より送信するものである。
【００３１】
上記演奏所Ａのマイクロ波送信アンテナＡ４から送信された信号は、第１中継所Ｂにおけるマイクロ波受信アンテナＢ１及びマイクロ波受信装置Ｂ２で受信検波され、ベースバンドＯＦＤＭ信号に変換されて、ＯＦＤＭ復調装置Ｂ３によりフレーム同期信号、パケット、ＡＣ信号が復調される。尚、パケット復調時に、階層合成のためにヌルパケットが付加される。このＯＦＤＭ復調装置Ｂ３は、地上デジタル放送受信用の一般的なものであるので、その詳細は省略する。
【００３２】
第１中継所Ｂにおいて、ＯＦＤＭ復調装置Ｂ３の復調出力はＯＦＤＭ変調装置Ｂ４に入力される。このＯＦＤＭ変調装置Ｂ４は図４に示すように構成され、パケット復調信号はヌルパケット除去部Ｂ４０１に供給され、フレーム同期信号に基づいて復調時に付加されたヌルパケットが除去される。以後、演奏所ＡのＯＦＤＭ変調装置Ａ２と同様に、外符号部Ｂ４０２で符号化され、エネルギー拡散部Ｂ４０３でエネルギー拡散され、バイトインターリーブ処理部Ｂ４０４でバイトインターリーブが施され、畳み込み符号化部Ｂ４０５で符号化率７／８に圧縮され、ビットインターリーブ処理部Ｂ４０６でビットインターリーブが施され、マッピング処理部Ｂ４０７で６４ＱＡＭにマッピングされ、時間インターリーブ処理部Ｂ４０８でＩ＝０として処理され（時間インターリーブを施さない）、周波数インターリーブ処理部Ｂ４０９で周波数インターリーブが施された後、ＯＦＤＭフレーム構成部Ｂ４１０へ送られる。
【００３３】
一方、ＯＦＤＭ変調装置Ｂ４において、ＯＦＤＭ復調装置Ｂ３で復調されたＡＣ信号はＡＣ変調部Ｂ４１２で変調されてＯＦＤＭフレーム構成部Ｂ４１０に送られる。
【００３４】
このＯＦＤＭフレーム構成部Ｂ４１０は、周波数インターリーブ処理部Ｂ４０９からのデータ列、パイロット信号発生部Ｂ４１３からのパイロット信号、ＴＭＣＣ信号発生部Ｂ４１４からの中継伝送用ＴＭＣＣ信号、ＡＣ変調部Ｂ４１２からのＡＣ変調信号を入力し多重することでＯＦＤＭフレームを構成するもので、その出力はＯＦＤＭ変調部Ｂ４１５でＦＦＴ処理、直交変調処理が施されてＯＦＤＭ信号としてマイクロ波送信装置Ｂ５に送られ、中継伝送用マイクロ波帯に周波数変換され電力増幅されて、マイクロ波送信アンテナＢ６より送信される。
【００３５】
上記第１中継所Ｂのマイクロ波送信アンテナＢ６から送信された信号は、第２中継所Ｃにおけるマイクロ波受信アンテナＣ１及びマイクロ波受信装置Ｃ２で受信検波されてベースバンドＯＦＤＭ信号に変換され、以後、第１中継所Ｂと同様にＯＦＤＭ復調装置Ｃ３で復調処理され、ＯＦＤＭ変調装置Ｃ４で変調処理され、マイクロ波送信装置Ｃ５によりマイクロ波帯に変換され、マイクロ波送信アンテナＣ６より送信される。
【００３６】
上記第２中継所Ｃのマイクロ波送信アンテナＣ７から送信された信号は、送信所Ｄにおけるマイクロ波受信アンテナＤ１及びマイクロ波受信装置Ｄ２で受信検波され、ベースバンドＯＦＤＭ信号に変換されて、ＯＦＤＭ復調装置Ｄ３によりフレーム同期信号、パケット、ＡＣ信号が復調される。このＯＦＤＭ復調装置Ｄ２も地上デジタル放送受信用の一般的なものである。
【００３７】
送信所Ｄにおいて、ＯＦＤＭ復調装置Ｄ３の復調出力はＯＦＤＭ変調装置Ｄ４に入力される。このＯＦＤＭ変調装置Ｄ４は、地上デジタル放送の放送波生成用のものであり、図５に示すように構成され、パケット復調信号はヌルパケット除去部Ｄ４０１に供給され、フレーム同期信号に基づいてヌルパケットが除去される。このヌルパケット除去部Ｄ４０１の出力は外符号部Ｄ４０２で符号化された後、階層分割部Ｄ４０３に供給される。
【００３８】
一方、ＡＣ復調信号は伝送パラメータ抽出部Ｄ４０４に供給される。この伝送パラメータ抽出部Ｄ４０４は、ＡＣ信号に乗せられている伝送パラメータを抽出するもので、ここで得られた伝送パラメータは階層分割部Ｄ４０３に送られる。この階層分割部Ｄ４０３は、伝送パラメータが示す階層情報に従って外符号部Ｄ４０２からのパケットを３階層に振り分けるものである。
【００３９】
各階層に分割されたパケットは、それぞれ階層別にエネルギー拡散部Ｄ４０５でエネルギー拡散処理され、遅延補正部Ｄ４０６で互いに同期するように時間補正され、バイトインターリーブ処理部Ｄ４０７でバイトインターリーブが施され、畳み込み符号化部Ｄ４０８にて伝送パラメータにより指定される放送用符号化率で符号化され、ビットインターリーブ処理部Ｄ４０９でビットインターリーブが施され、マッピング処理部Ｄ４１０にて伝送パラメータにより指定される変調方法で放送用に変調された後、階層合成部Ｄ４１１で合成される。
【００４０】
上記階層合成部Ｄ４１１の合成出力は時間インターリーブ処理部Ｄ４１２にて伝送パラメータにより指定される放送用インターリーブ長で時間インターリーブが施され、さらに周波数インターリーブ処理部Ｄ４１３で周波数インターリーブが施されてＯＦＤＭフレーム構成部Ｄ４１４に供給される。
【００４１】
このＯＦＤＭフレーム構成部Ｄ４１４は、周波数インターリーブ処理部Ｄ４１２からのデータ列、パイロット信号生成部Ｄ４１５からのパイロット信号、ＴＭＣＣ信号生成部Ｄ４１６からの放送用ＴＭＣＣ信号、ＡＣ変調部Ｄ４１７からのＡＣ変調信号を入力し多重することでＯＦＤＭフレームを構成するものである。
【００４２】
ここで、上記ＴＭＣＣ信号生成部Ｄ４１６は、伝送パラメータ抽出部Ｄ４０４で抽出された伝送パラメータに基づいて放送用伝送パラメータを算出し、当該パラメータを示すＴＭＣＣ信号を生成するものである。また、ＡＣ変調部Ｄ４１７は、ＯＦＤＭ復調装置Ｄ３で復調されたＡＣ信号から中継用伝送パラメータを除き、所定の付加情報を加えて変調出力するものである。
【００４３】
上記ＯＦＤＭフレーム構成部Ｄ４１４の出力は、ＯＦＤＭ変調部Ｄ４１８でＦＦＴ処理、直交変調処理が施されてＯＦＤＭ信号として放送用送信装置Ｄ５に送られ、放送波帯に周波数変換されて、放送波送信アンテナＤ６よりサービスエリアに向けて送信される。
【００４４】
上記構成において、以下に全体的な処理内容について説明する。
【００４５】
まず、演奏所ＡのＯＦＤＭ変調装置Ａ２では、基本的に地上デジタルＴＶ放送方式と同様に動作する。但し、地上デジタルＴＶ放送方式で定める各階層間の遅延補正は実施しない。
【００４６】
また、演奏所Ａから送信された信号は、第１中継所Ｂのマイクロ波受信装置Ｂ２で受信され、ＯＦＤＭ復調装置Ｂ３で復調される。ここでの受信装置Ｂ２、復調装置Ｂ３は地上デジタルＴＶ放送用受信装置、復調装置と同様に構成される。受信された信号は復調処理された後、伝送路復号され、パケット、フレーム同期、ＡＣ信号として次段のＯＦＤＭ変調装置Ｂ４へ送られる。復調されたパケットにはＯＦＤＭ復調装置Ｂ３で付加されたヌルパケットが含まれている。そのヌルパケットの位置は、マイクロ波の伝送パラメータによって予め判別されるため、ヌルパケット除去部Ｂ４０１でそのヌルパケットを除去することができる。ここでヌルパケットが除去されたパケット群は、先に述べた単一階層化部Ａ２０１の出力と同じとなる。その後の処理は、演奏所ＡのＯＦＤＭ変調装置Ａ２、マイクロ波送信装置Ａ３と同じである。このことは、第２中継所Ｃについても同様である。
【００４７】
多段中継の場合は上記を繰り返すことにより実現される。中継区間では伝送路符号化、変調、復調、伝送路復号を繰り返すこととなり、誤り訂正により誤りが訂正可能な間は、中継区間の劣化は次段へは伝わらない。
【００４８】
マイクロ波中継区間の後、送信所Ｄにおいては、最終段のマイクロ波中継区間の出力であるパケット、フレーム同期、ＡＣ信号を復調し、放送波用のＯＦＤＭ変調装置Ｄ４に入力する。このＯＦＤＭ変調装置Ｄ４では、パケット、フレーム同期信号をヌルパケット除去部Ｄ４０１に入力し、第１中継所Ｂ、第２中継所Ｃと同様に、復調パケットからヌルパケットを除去する。また、ＡＣ信号を伝送パラメータ抽出部Ｄ４０４に入力し、放送波の伝送パラメータを抽出する。
【００４９】
ヌルパケット除去部Ｄ４０１の出力は外符号化された後、階層分割部Ｄ４０３に入力され、伝送パラメータ抽出部Ｄ４０４からの伝送パラメータにより各階層に分割される。階層分割部Ｄ４０３に入力される信号は階層毎にまとまっており、伝送パラメータにより各階層のパケット数が決定できるため、容易で分割可能である。その後の処理は伝送パラメータ抽出部Ｄ４０４で抽出された伝送パラメータに沿って、地上デジタルＴＶ放送方式に従った処理を経て放送波として送信される。
【００５０】
ここで、上記演奏所Ａにおける遅延量を求めてみると、単一階層化部Ａ２０１で１フレーム遅延され、バイトインターリーブ処理部Ａ２０４で１１ＴＳパケット遅延され、時間インターリーブ処理部Ａ２０８でセグメント化のために１シンボル遅延され、結果として、１フレーム＋１１ＴＳパケット＋１シンボル＋信号処理時間＋伝送時間だけ遅延されることになる。
【００５１】
また、第１中継所Ｂにおける遅延量を求めてみると、ＯＦＤＭ復調装置Ｂ３で階層合成のために３ＴＳパケット分遅延され、ＯＦＤＭ変調装置Ｂ４でバイトインターリーブ処理部Ｂ４０４にて１１ＴＳパケット分遅延され、時間インターリーブ処理部Ｂ４０８でセグメント化のために１シンボル遅延される。よって、第１中継所Ｂにおいては、１４ＴＳパケット＋１シンボル＋信号処理時間＋伝送時間相当分の遅れが生じることになる。この遅延時間は、第２中継所Ｃにおいても同様である。
【００５２】
また、送信所Ｄにおける遅延量を求めてみると、ＯＦＤＭ復調装置Ｄ３で階層合成のために３ＴＳパケット分遅延され、ＯＦＤＭ変調装置Ｄ４で遅延補正部Ｄ４０６とバイトインターリーブ処理部Ｄ４０７にて１フレーム遅延される。また、階層合成部Ｄ４１１で１フレーム遅延されるため、全体で２フレーム＋時間インターリーブ処理時間＋信号処理時間＋伝送時間相当分の遅れが生じることになる。
【００５３】
このことから明らかなように、本実施形態においても中継伝送においてＯＦＤＭを利用するが、地上デジタルＴＶ放送方式とは異なり、単一階層で伝送するため、各階層間の遅延調整のための補正遅延をなくすことが可能であり、またマイクロ波中継区間の伝送パラメータを放送波の伝送パラメータよらず固定にすることにより、方式による遅延量が固定になる。また、中継段では時間インターリーブを行わないことにより、さらに遅延時間を短くすることが可能となる。このことは、中継段数の増加に応じて顕著な効果となって得られるものである。
【００５４】
以上のことから明らかなように、本実施形態では、地上デジタルＴＶ放送におけるマイクロ波中継区間において、ＴＳ伝送方式で伝送する際に、地上デジタルＴＶ放送方式の特定のパラメータに基づいて伝送を行うものとする。特定のパラメータは、単一階層であり、放送波での総伝送可能情報量より多く又は同等の情報量を伝送可能であるものとし、時間インターリーブは必ずしも行う必要はない。
【００５５】
マイクロ波中継区間において、上記の伝送パラメータは既知とする。これにより、多重フレームパターンは任意のパターンとなり、前段の受信装置出力と次段の変調装置入力との間の信号インターフェースにおいて、受信装置で発生したヌルパケットは次段の変調器で容易に判別がつく。
【００５６】
マイクロ波中継区間に対し、ＯＦＤＭ変調装置Ａ２では、放送波送信用再多重装置の出力の複数階層のパケットを、再多重装置Ａ１からの階層情報に基づき、階層順の並びに並び替える機能を持ち、またマイクロ波中継区間で伝送可能容量より放送波での伝送可能容量が少ない場合には、その不足分のパケットをダミーで伝送する機能をもつ。並び替え後のデータパケットとダミーのパケットを上記のパラメータで信号処理を行う。
【００５７】
また、マイクロ波中継区間は単一階層で伝送するため、各階層間の遅延調整のための補正遅延をなくすことが可能であり、またマイクロ波中継区間の伝送パラメータを放送波の伝送パラメータよらず固定にすることにより、方式による遅延量が固定になり、放送波と同じ方式でＯＦＤＭ信号を生成し伝送する場合に比して、格段に遅延量を低減することができる。
【００５８】
また、放送波の伝送パラメータを中継伝送する方法として、ＡＣ信号を利用することも可能であるため、伝送パラメータのために新たに伝送容量を拡大する必要はない。
【００５９】
また、演奏所ＡにおけるＯＦＤＭ変調装置Ｄ２において、単一階層化の際に、各階層毎にパケットをまとめ、各パケットの階層情報をＡＣ信号により伝送するようにしているので、マイクロ波中継区間の最終段の次に位置する放送波送信用のＯＦＤＭ変調装置Ｄ４において、ＡＣ信号を利用して伝えられた伝送パラメータからパケット数を算出することができ、かつ並び替えたデータパケットの本来の階層を容易に区別することができる。
【００６０】
尚、並べ替えの順序は、放送波送信所Ｄで既知の順序であれば、各パケットの並び情報を伝送する必要がなくなる。また、任意の順序に並べ、その順序を示す情報を例えばＡＣ信号を利用して伝送するようにしてもよい。
【００６１】
したがって、上記構成による実施形態によれば、中継区間の劣化を放送波の信号の劣化に影響させずに、中継区間の伝送帯域幅を６ＭＨｚで伝送可能となり、かつ遅延量を中継段数抑えることが可能となる。
【００６２】
【発明の効果】
以上のように本発明によれば、中継区間の劣化が放送波の信号に影響せず、伝送帯域を規定幅に収め、かつ遅延量を許容範囲に抑えて中継区間の伝送を可能とする地上デジタルテレビジョン放送マイクロ波中継伝送方式を提供することができる。
【図面の簡単な説明】
【図１】  本発明の実施形態に係る伝送方式を採用した、地上デジタル放送のマイクロ波中継ネットワークシステムの構成を示すブロック図。
【図２】  同実施形態の演奏所におけるＯＦＤＭ変調装置の具体的な構成を示すブロック図。
【図３】  図２に示すＯＦＤＭ変調装置における単一階層化の処理内容を示す図。
【図４】  同実施形態の第１中継所におけるＯＦＤＭ変調装置の具体的な構成を示すブロック図。
【図５】  同実施形態の送信所におけるＯＦＤＭ変調装置の具体的な構成を示すブロック図。
【図６】  ＩＦ伝送方式による地上デジタル放送マイクロ波中継ネットワークシステムの構成を示すブロック図。
【図７】  ＴＳ伝送方式による地上デジタル放送マイクロ波中継ネットワークシステムの構成を示すブロック図。
【符号の説明】
Ａ…演奏所
Ａ１…再多重装置
Ａ２…ＯＦＤＭ変調装置
Ａ２０１…単一階層化部
Ａ２０２…外符号部
Ａ２０３…エネルギー拡散部
Ａ２０４…バイトインターリーブ処理部
Ａ２０５…畳み込み符号化部
Ａ２０６…ビットインターリーブ処理部
Ａ２０７…マッピング処理部
Ａ２０８…時間インターリーブ処理部
Ａ２０９…周波数インターリーブ処理部
Ａ２１０…ＯＦＤＭフレーム構成部
Ａ２１１…ＴＭＣＣ／ＡＣ変換部
Ａ２１２…ＡＣ変調部
Ａ２１３…パイロット信号発生部
Ａ２１４…ＴＭＣＣ信号発生部
Ａ２１５…ＯＦＤＭ変調部
Ａ３…マイクロ波送信装置
Ａ４…マイクロ波送信アンテナ
Ｂ…第１中継所
Ｂ１…マイクロ波受信アンテナ
Ｂ２…マイクロ波受信装置
Ｂ３…ＯＦＤＭ復調装置
Ｂ４…ＯＦＤＭ変調装置
Ｂ４０１…ヌルパケット除去部
Ｂ４０２…外符号部
Ｂ４０３…エネルギー拡散部
Ｂ４０４…バイトインターリーブ処理部
Ｂ４０５…畳み込み符号化部
Ｂ４０６…ビットインターリーブ処理部
Ｂ４０７…マッピング処理部
Ｂ４０８…時間インターリーブ処理部
Ｂ４０９…周波数インターリーブ処理部
Ｂ４１０…ＯＦＤＭフレーム構成部
Ｂ４１２…ＡＣ変調部
Ｂ４１３…パイロット信号発生部
Ｂ４１４…ＴＭＣＣ信号発生部
Ｂ４１５…ＯＦＤＭ変調部
Ｂ５…マイクロ波送信装置
Ｂ６…マイクロ波送信アンテナ
Ｃ…第２中継所
Ｃ１…マイクロ波受信アンテナ
Ｃ２…マイクロ波受信装置
Ｃ３…ＯＦＤＭ復調装置
Ｃ４…ＯＦＤＭ変調装置
Ｃ５…マイクロ波送信装置
Ｃ６…マイクロ波送信アンテナ
Ｄ…送信所
Ｄ１…マイクロ波受信アンテナ
Ｄ２…マイクロ波受信装置
Ｄ３…ＯＦＤＭ復調装置
Ｄ４…ＯＦＤＭ変調装置
Ｄ４０１…ヌルパケット除去部
Ｄ４０２…外符号部
Ｄ４０３…階層分割部
Ｄ４０４…伝送パラメータ抽出部
Ｄ４０５…エネルギー拡散部
Ｄ４０６…遅延補正部
Ｄ４０７…バイトインターリーブ処理部
Ｄ４０８…畳み込み符号化部
Ｄ４０９…ビットインターリーブ処理部
Ｄ４１０…マッピング処理部
Ｄ４１１…階層合成部
Ｄ４１２…時間インターリーブ処理部
Ｄ４１３…周波数インターリーブ処理部
Ｄ４１４…ＯＦＤＭフレーム構成部
Ｄ４１５…パイロット信号生成部
Ｄ４１６…ＴＭＣＣ信号生成部
Ｄ４１７…ＡＣ変調部
Ｄ４１８…ＯＦＤＭ変調部
Ｄ５…放送用送信装置
Ｄ６…放送波送信アンテナ
【図１】
0004256047.tif 000002
【図２】
0004256047.tif 000003
【図３】
0004256047.tif 000004
【図４】
0004256047.tif 000005
【図５】
0004256047.tif 000006
【図６】
0004256047.tif 000007
【図７】
0004256047.tif 000008